(57)【要約】【課題】本願は、マウスとペン型の２種類の形態の間で変形可能なペン型折り畳みマウスを提供する。【解決手段】ペン型折り畳みマウスは、ローラー、２つの支軸、２つのロッド本体、２つのボタン及び光学センサを含む。ローラーは軸線を有する。２つの支軸は、ローラーの対向する両側に設けられ、軸線と平行に設けられる。２つのロッド本体は、ローラーの対向する両側に位置し、２つの支軸に可動に配置される。２つのロッド本体は、２つの外表面及び互いに近い２つの第一端面を含む。２つのボタンはそれぞれ２つのロッド本体の２つの外表面に設けられる。光学センサは、そのうち１つのロッド本体の外表面に位置する。【選択図】図３
2020109615.tif 000002
【特許請求の範囲】
【請求項１】
軸線を有するローラーと、
前記ローラーの対向する両側に設けられ、前記軸線と平行に設けられる２つの支軸と、
前記ローラーの対向する両側に位置し、前記２つの支軸に可動に配置され、２つの外表面及び前記ローラーに隣接する２つの第一端面を含む２つのロッド本体と、
それぞれ前記２つのロッド本体の前記２つの外表面に設けられる２つのボタンと、
そのうち１つの前記ロッド本体の前記外表面に位置する光学センサと、を含み、
前記２つのロッド本体が第一の位置にある時、前記２つの第一端面は、それぞれ前記ローラーの対向する両側を向いており、前記２つのロッド本体と前記ローラーは、前記軸線に沿って延びてペン型になり、前記２つのロッド本体は、前記ローラーに対して前記第一の位置から第二の位置に動いて、前記２つのロッド本体の前記２つの外表面を前記ローラーの対向する両側に向けて、互いに近づけるのに適し、前記２つのロッド本体、前記ローラー、前記光学センサ及び前記２つのボタンは、合わせてマウスになり、前記２つのボタンは、それぞれ前記マウスの左ボタンと右ボタンとするペン型折り畳みマウス。
【請求項２】
各前記ロッド本体は、それぞれ内部に位置するスライダーを有し、各前記支軸は、それぞれシュートを有し、前記スライダーは、前記シュート内でスライド及び回転するのに適し、
前記２つのロッド本体が前記第一の位置にある時、前記スライダーは、前記シュート内の第一端に位置し、
各前記スライダーは、前記シュート内の第二端にスライドした後、回転し、前記２つのロッド本体を前記第二の位置に固定するのに適する請求項１に記載のペン型折り畳みマウス。
【請求項３】
各前記ロッド本体内に、更にそれぞれ第一の位置決め部及び第二の位置決め部を有し、各前記支軸は、更にそれぞれ第一の係合部を有し、
前記２つのロッド本体が前記第一の位置にある時、各前記ロッド本体内の前記第一の位置決め部は、対応する前記支軸の前記第一の係合部に係合し、
各前記スライダーは、シュート内の第二端にスライドした後、回転し、各前記ロッド本体内の前記第二の位置決め部を対応する前記支軸内の前記第一の係合部に係合させるのに適する請求項２に記載のペン型折り畳みマウス。
【請求項４】
各前記ロッド本体内に、更にそれぞれ第一の位置決め部を有し、各前記支軸は、更にそれぞれ第一の係合部及び第二の係合部を有し、
前記２つのロッド本体が前記第一の位置にある時、各前記ロッド本体内の前記第一の位置決め部は、対応する前記支軸内の前記第一の係合部に係合し、
各前記スライダーは、シュート内の第二端にスライドした後、回転し、各前記ロッド本体内の前記第一の位置決め部を対応する前記支軸内の前記第二の係合部に係合させるのに適する請求項２に記載のペン型折り畳みマウス。
【請求項５】
前記スライダーは、第一の位置決め部と第二の位置決め部を有し、前記第一の位置決め部は、前記内表面に対して第一の高さに位置し、第一の方向に沿って延び、前記第二の位置決め部は、前記内表面に対して第二の高さに位置し、第二の方向に沿って延び、各前記支軸は、更にそれぞれ前記シュートに連通し、異なる深さに位置する第一の定位穴及び一第二の定位穴を有し、前記第一の定位穴は、前記シュートの第一端に近く、前記第二の定位穴は、前記シュートの第二端に近く、
前記２つのロッド本体が前記第一の位置にある時、各前記スライダーは、シュート内の前記第一端に位置し、各前記第一の位置決め部は、対応する前記第一の定位穴に係合し、各前記スライダーは、シュート内の前記第二端にスライドした後、回転し、各前記ロッド本体内の前記第二の位置決め部を対応する前記第二の定位穴に係合させるのに適する請求項２に記載のペン型折り畳みマウス。
【請求項６】
前記２つのロッド本体は、それぞれ２つの第一の磁気吸引部を含み、各前記第一の磁気吸引部は、対応する前記ロッド本体の前記ローラーに隣接する端部に位置し、前記２つのロッド本体が前記第一の位置にある時、前記２つのロッド本体の前記２つの第一の磁気吸引部は、前記ローラーに近づき、互いに吸引されて前記ペン型を維持する請求項１に記載のペン型折り畳みマウス。
【請求項７】
前記２つのロッド本体は、更にそれぞれ２つの第二の磁気吸引部を含み、各前記第二の磁気吸引部は、対応する前記ロッド本体の前記ローラーから離れた端部に位置し、前記２つのロッド本体が前記第二の位置にある時、前記２つのロッド本体の前記２つの第二の磁気吸引部は、互いに吸引されて、前記マウスの形状を維持する請求項６に記載のペン型折り畳みマウス。
【請求項８】
前記ローラーは、ホイールフレーム、リム及び圧力センサを含み、前記２つの支軸は、前記ホイールフレームの２つの側面に設けられ、前記リムは、前記ホイールフレームの少なくとも一部を覆い、前記ホイールフレームに回転可能に設けられ、前記圧力センサは、前記リム内側に位置し、前記リムが押されるのを検出する請求項１に記載のペン型折り畳みマウス。
【請求項９】
前記ローラーは、前記リム内側に位置し、前記リムの回転を検出する回転センサを含む請求項８に記載のペン型折り畳みマウス。
【請求項１０】
１つの前記ロッド本体は、前記外表面に位置し、前記ローラーに近い回転センサを更に含み、前記２つのロッド本体が前記第二の位置にある時、前記回転センサは、前記リムの回転を検出するのに用いる請求項８に記載のペン型折り畳みマウス。
【請求項１１】
１つの前記ロッド本体は、内部に位置する回路基板及びソフトケーブルを更に含み、前記ソフトケーブルは、対応する前記支軸に貼り付け、前記回路基板と前記圧力センサに接続する請求項８に記載のペン型折り畳みマウス。
【請求項１２】
１つの前記ロッド本体は、内部に位置する回路基板及び前記回路基板に電気的に接続する２つの金属片を更に含み、前記２つの金属片を有する前記ロッド本体が対応する前記支軸は、前記圧力センサに電気的に接続する２本の導体を含み、前記２つの金属片は、それぞれ対応する前記２本の導体に接触して、前記圧力センサを前記回路基板に電気的に接続する請求項８に記載のペン型折り畳みマウス。
【請求項１３】
前記２つのロッド本体は、前記２つの外表面に位置し、前記ローラーに隣接する２つの突出部を有し、各前記突出部の頂部と前記軸線との距離は、前記ローラーの半径より大きい請求項１に記載のペン型折り畳みマウス。
【請求項１４】
そのうち１つの前記ロッド本体の前記ローラーから離れた第二端面に位置する赤外線エミッタを更に含む請求項１に記載のペン型折り畳みマウス。
【発明の詳細な説明】
【技術分野】
【０００１】
本願は、マウスに係り、特に、ペン型折り畳みマウスに関する。
【背景技術】
【０００２】
マウス装置は、現在のコンピュータの重要なカーソル制御装置である。現在市場のマウスは、使用しやすいように、一定の体積と形状を維持して、使用上の感覚を向上することが必須であるが、収納上不便である。同時に、必要に基づき、使用者は、レーザーポインタを別に携帯して、マウスと併用しなければならず、使用者の携帯上の負担を更に増加する可能性がある。
【発明の概要】
【発明が解決しようとする課題】
【０００３】
本願は、マウスとペン型の２種類の形態の間で変形可能なペン型折り畳みマウスを提供する。
【課題を解決するための手段】
【０００４】
本願は、ローラー、２つの支軸、２つのロッド本体、２つのボタン及び光学センサを含むペン型折り畳みマウスを提供する。ローラーは、軸線を有する。２つの支軸は、ローラーの対向する両側に設けられ、軸線と平行に設けられる。２つのロッド本体は、ローラーの対向する両側に位置し、２つの支軸に可動に配置される。２つのロッド本体は、２つの外表面及びローラーに隣接する２つの第一端面を含む。２つのボタンは、それぞれ２つのロッド本体の２つの外表面に設けられる。光学センサは、そのうち１つのロッド本体の外表面に位置する。２つのロッド本体が第一の位置にある時、２つの第一端面は、それぞれローラーの対向する両側を向いている。２つのロッド本体とローラーは、該軸線に沿って延びてペン型になる。２つのロッド本体は、ローラーに対して第一の位置から第二の位置に動いて、２つのロッド本体の２つの外表面をローラーの対向する両側に向けて、互いに近づけるのに適する。２つのロッド本体、ローラー、光学センサ及び２つのボタンは、合わせてマウスになり、２つのボタンは、それぞれマウスの左ボタンと右ボタンとする。
【０００５】
本願の実施形態において、各ロッド本体は、それぞれ内部に位置するスライダーを有する。各支軸は、それぞれシュートを有する。スライダーは、シュート内でスライド及び回転するのに適する。２つのロッド本体が第一の位置にある時、スライダーは、シュート内の第一端に位置する。各スライダーは、シュート内の第二端にスライドした後、回転し、２つのロッド本体を第二の位置に固定するのに適する。
【０００６】
本願の実施形態において、各ロッド本体内に、更にそれぞれ第一の位置決め部及び一第二の位置決め部を有する。各支軸は、更にそれぞれ第一の係合部を有する。２つのロッド本体が第一の位置にある時、各ロッド本体内の第一の位置決め部は、対応する支軸の第一の係合部に係合する。各スライダーは、シュート内の第二端にスライドした後、回転し、各ロッド本体内の第二の位置決め部を対応する支軸内の第一の係合部に係合させるのに適する。
【０００７】
本願の実施形態において、各ロッド本体内に、更にそれぞれ第一の位置決め部を有し、各支軸は、更にそれぞれ第一の係合部及び第二の係合部を有する。２つのロッド本体が第一の位置にある時、各ロッド本体内の第一の位置決め部は、対応する支軸内の第一の係合部に係合する。各スライダーは、シュート内の第二端にスライドした後、回転し、各ロッド本体内の第一の位置決め部を対応する支軸内の第二の係合部に係合させるのに適する。
【０００８】
本願の実施形態において、スライダーは、第一の位置決め部と第二の位置決め部を有する。第一の位置決め部は、内表面に対して第一の高さに位置し、第一の方向に沿って延びる。第二の位置決め部は、内表面に対して第二の高さに位置し、第二の方向に沿って延びる。各支軸は、更にそれぞれシュートに連通し、異なる深さに位置する第一の定位穴及び一第二の定位穴を有する。第一の定位穴はシュートの第一端に近い。第二の定位穴は、シュートの第二端に近い。２つのロッド本体が第一の位置にある時、各スライダーは、シュート内の第一端に位置し、各第一の位置決め部は、対応する第一の定位穴に係合する。各スライダーは、シュート内の第二端にスライドした後、回転し、各ロッド本体内の第二の位置決め部を対応する第二の定位穴に係合させるのに適する。
【０００９】
本願の実施形態において、２つのロッド本体は、それぞれ２つの第一の磁気吸引部を含む。各第一の磁気吸引部は、対応するロッド本体のローラーに隣接する端部に位置する。２つのロッド本体が第一の位置にある時、２つのロッド本体の２つの第一の磁気吸引部は、に近づき、互いに吸引されてペン型を維持する。
【００１０】
本願の実施形態において、２つのロッド本体は、更にそれぞれ２つの第二の磁気吸引部を含み、各第二の磁気吸引部は、対応するロッド本体のローラーから離れた端部に位置する。２つのロッド本体が第二の位置にある時、２つのロッド本体の２つの第二の磁気吸引部は、互いに吸引されて、前記マウスの形状を維持する。
【００１１】
本願の実施形態において、ローラーは、ホイールフレーム、リム及び圧力センサを含む。２つの支軸は、ホイールフレームの２つの側面に設けられる。リムは、ホイールフレームの少なくとも一部を覆い、ホイールフレームに回転可能に設けられる。圧力センサは、リム内側に位置し、リムが押されるのを検出する。
【００１２】
本願の実施形態において、ローラーは、リム内側に位置し、リムの回転を検出する回転センサを含む。
【００１３】
本願の実施形態において、１つのロッド本体は、外表面に位置し、ローラーに近い回転センサを更に含む。２つのロッド本体が第二の位置にある時、回転センサは、リムの回転を検出するのに用いる。
【００１４】
本願の実施形態において、１つのロッド本体は、内部に位置する回路基板及びソフトケーブルを更に含む。ソフトケーブルは、対応する支軸に貼り付け、回路基板と圧力センサに接続する。
【００１５】
本願の実施形態において、１つのロッド本体は、内部に位置する回路基板及び回路基板に電気的に接続する２つの金属片を更に含む。２つの金属片を有するロッド本体が対応する支軸は、圧力センサに電気的に接続する２本の導体を含む。２つの金属片は、それぞれ対応する２本の導体に接触して、圧力センサを回路基板に電気的に接続する。
【００１６】
本願の実施形態において、２つのロッド本体は、２つの外表面に位置し、ローラーに隣接する２つの突出部を有し、各突出部の頂部と軸線との距離は、ローラーの半径より大きい。
【００１７】
本願の実施形態において、ペン型折り畳みマウスは、赤外線エミッタを更に含む。赤外線エミッタは、１つのロッド本体のローラーから離れた第二端面に位置する。
【発明の効果】
【００１８】
上述に基づき、本願のペン型折り畳みマウスの２つのロッド本体は、第一の位置と第二の位置との間で変形できる。使用者は、マウスを使用する必要がある時、２つのロッド本体を第二の位置に変形できる。使用者は、使用する必要がない時、２つのロッド本体を第一の位置に変形してペン状にすることができ、使用者は携帯しやすい。同時に、ペン状の形態のペン型折り畳みマウスは、マウスと異なる機能を具備することができる。
【００１９】
本発明の上述した特徴と利点を更に明確化するために、以下に、実施例を挙げて図面と共に詳細な内容を説明する。
【図面の簡単な説明】
【００２０】
【図１Ａ】本願の第一の実施形態のペン型折り畳みマウスの２つのロッド本体が第一の位置にある時の概略図。
【図１Ｂ】図１Ａのペン型折り畳みマウスの２つのロッド本体が第一の位置にある時の側面図。
【図２】本願の第一の実施形態のペン型折り畳みマウスの２つのロッド本体が軸線方向にローラーで互いに分離している時の概略図。
【図３】本願の第一の実施形態のペン型折り畳みマウスの２つのロッド本体が第二の位置にある時の概略図。
【図４Ａ】図１Ａのペン型折り畳みマウスのＡ−Ａ’線分に沿った局部断面図。
【図４Ｂ】図１Ａのペン型折り畳みマウスのＢ−Ｂ’線分に沿った局部断面図。
【図５Ａ】図２のペン型折り畳みマウスのＣ−Ｃ’線分に沿った局部断面図。
【図５Ｂ】図２のペン型折り畳みマウスのＤ−Ｄ’線分に沿った局部断面図。
【図６Ａ】図３のペン型折り畳みマウスのＥ−Ｅ’線分に沿った局部断面図。
【図６Ｂ】図３のペン型折り畳みマウスのＦ−Ｆ’線分に沿った局部断面図。
【図７】本願の第二の実施形態のペン型折り畳みマウスのロッド本体が第一の位置にある時の局部断面図。
【図８】本願の第二の実施形態のペン型折り畳みマウスのロッド本体が軸線に沿ってローラーで分離している時の局部断面図。
【図９Ａ】本願の第二の実施形態のペン型折り畳みマウスのロッド本体が第二の位置にある時の局部断面図。
【図９Ｂ】図９Ａの別の視点から見た局部断面図。
【図９Ｃ】図９Ａの本願の第二の実施形態のペン型折り畳みマウスが第二の位置にある時の上面図。
【図１０】本願の第三実施形態のスライダーの概略図。
【図１１Ａ】本願の第三実施形態のペン型折り畳みマウスのロッド本体が第一の位置にある時の局部概略図。
【図１１Ｂ】図１１ＡのＧ−Ｇ’線分に沿った断面図。
【図１２Ａ】本願の第三実施形態のペン型折り畳みマウスのロッド本体が軸線方向にローラーで互いに分離している時の局部概略図。
【図１２Ｂ】図１２ＡのＨ−Ｈ’線分に沿った断面図。
【図１３Ａ】本願の第三実施形態のペン型折り畳みマウスが第二の位置にある時の局部概略図。
【図１３Ｂ】図１３ＡのＩ−Ｉ’線分に沿った断面図。
【図１４】本願の第四実施形態のペン型折り畳みマウスが第二の位置にある時の上面図。
【図１５】本願の第五実施形態のローラーと支軸の局部概略図。
【図１６】本願の第六実施形態のローラー、支軸及びロッド本体の局部概略図。
【発明を実施するための形態】
【００２１】
図１Ａは、本願の第一の実施形態のペン型折り畳みマウスの２つのロッド本体が第一の位置にある時の概略図である。図１Ｂは、図１Ａのペン型折り畳みマウスの２つのロッド本体が第一の位置にある時の側面図である。図２は、本願の第一の実施形態のペン型折り畳みマウスの２つのロッド本体が軸線方向にローラーで互いに分離している時の概略図である。図３は、本願の第一の実施形態のペン型折り畳みマウスの２つのロッド本体が第二の位置にある時の概略図である。
【００２２】
図１Ａ〜図３を参考にすると、ペン型折り畳みマウス１００は、ローラー１１０、２つの支軸１２０（図２）、２つのロッド本体１３０、２つのボタン１４０、光学センサ１５０及び赤外線エミッタ１６０を含む。ローラー１１０は、Ｙ方向に延びる軸線Ｌを有する。ローラーは、ホイールフレーム１１１とリム１１２を有する。リム１１２は、ホイールフレーム１１１を取り囲み、ホイールフレーム１１１に対して回転できる。
【００２３】
図２に示すように、２つの支軸１２０は、ローラー１１０の対向する両側に設けられ、それぞれ２つのロッド本体１３０内に達する。各支軸１２０は、ローラー１１０のホイールフレーム１１１の対向する両側から軸線Ｌに沿って延びるか、軸線Ｌの旁に平行に設けられてもよい。２つのロッド本体１３０は、ローラー１１０のホイールフレーム１１１の対向する両側に位置し、２つの支軸１２０に可動に配置して、図１Ａの第一の位置Ｐ１と図３の第二の位置Ｐ２の間で変形するのに適する。
【００２４】
図１Ｂに示すように、本実施形態において、２つのロッド本体１３０は、２つの外表面１３１及びローラー１１０に隣接する２つの第一端面１３２を含む。２つのロッド本体１３０が第一の位置Ｐ１にある時、２つの第一端面１３２は、それぞれローラー１１０のホイールフレーム１１１の対向する両側に近付けて、貼り合わせる。２つのボタン１４０は、それぞれ２つのロッド本体１３０の２つの外表面１３１に設けられる。光学センサ１５０は、そのうち１つのロッド本体１３０の外表面１３１に位置する。赤外線エミッタ１６０は、そのうち１つのロッド本体１３０のローラー１１０から離れた第二端面１３３に位置する。当然ながら、その他の実施形態において、光学センサ１５０と赤外線エミッタ１６０は、同一のロッド本体１３０に位置してもよい。
【００２５】
本実施形態において、赤外線エミッタ１６０を有するロッド本体１３０内に回路基板１７０を有し、もう１つのロッド本体１３０内に電池１８０（回路基板１７０と電池１８０はいずれも破線で図示する）と電池１８０の充電ポート１８１（図３に示すとおり）を有する。回路基板１７０と光学センサ１５０、２つのボタン１４０、赤外線エミッタ１６０及び以下の各種センサ機構は、互いに電気的に接続し、電池１８０によって給電する。また、回路基板１７０は、設計上の要求に基づき、ペン型折り畳みマウス１００の異なる状態下の機能を与えてもよい。
【００２６】
以下、本願の第一の実施形態のペン型折り畳みマウス１００の２つのロッド本体１３０が第一の位置Ｐ１（図１Ａ）から第二の位置Ｐ２（図３）に作動するプロセスを説明する。図１Ａを参考にすると、２つのロッド本体１３０が第一の位置Ｐ１にある時、２つの第一端面１３２は、ローラー１１０のホイールフレーム１１１の対向する両側を向いている。２つのロッド本体１３０とローラー１１０は、該軸線Ｌに沿って延びてペン型１０になる。
【００２７】
ペン型折り畳みマウス１００がペン型１０の状態下で、図１Ａのペン型折り畳みマウス１００は、例えば、レーザーポインタとして使用してもよい。回路基板１７０は、例えば、ブルートゥース（登録商標）モジュール（不図示）を有し、その他のハードウェア装置（例えば、パソコン、ノートパソコン、タブレット等の装置、不図示）と信号を伝達し、２つのボタン１４０またはローラー１１０の操作によってハードウェア装置に格納されたプレゼンテーションソフトウェア（例えば、Ｍｉｃｒｏｓｏｆｔ（登録商標）  ＰｏｗｅｒＰｏｉｎｔ（登録商標））を制御する。例を挙げると、ペン型１０の状態下で、ローラー１１０内の圧力センサ（後述する）は、例えば、赤外線エミッタ１６０のスイッチとして、同時に、２つのボタン１４０でプレゼンテーションソフトウェアの上下ページ機能を制御してもよい。使用上の要求に基づき、各部材に異なる機能を与えてもよく、本願は、これについて限定しない。
【００２８】
それから、ペン型折り畳みマウス１００は、変形しようとする時、図２を参考にすると、２つのロッド本体１３０は、軸線Ｌに沿って反対方向に互いに分離して、２つのロッド本体１３０の第一端面１３２をローラー１１０から離して、２つのロッド本体１３０とローラー１１０との間に接続している２つの支軸１２０を露出させる。それから、図３にあるように、２つのロッド本体１３０の２つの外表面１３１をローラー１１０のホイールフレーム１１１の対向する両側に向けて、回転させて、互いに近付ける。この回転のプロセスは、例えば、後で説明する支軸１２０とロッド本体１３０との間の作動機構によって完成してもよい。または、その他の実施形態において、支軸自身は、可撓性金属で曲げるのに適する、または、幾つかの実施形態において、ロッド本体が可撓性金属である。
【００２９】
本実施形態において、２つのロッド本体１３０は、回転してＸ方向に沿って延び、第二の位置Ｐ２に位置する。２つのロッド本体１３０が第二の位置Ｐ２にある時、２つのロッド本体１３０、ローラー１１０、光学センサ１５０及び２つのボタン１４０は、合わせてマウス２０になり、回路基板１７０によって各部材にペン型折り畳みマウス１００が第一の位置Ｐ１にある時とは異なる機能を与える。
【００３０】
例を挙げると、回路基板１７０は、ブルートゥースモジュール（不図示）によってその他のハードウェア装置（不図示）と信号を伝達してもよい。２つのボタン１４０は、それぞれマウス２０の左ボタン２１と右ボタン２２としてもよい。光学センサ１５０は、ハードウェア装置の表示スクリーンのマウス２０のカーソル位置コントローラになってもよく、ローラー１１０は、一般的なマウスのローラー機能であってもよく、例えば、ハードウェア装置に格納されたソフトウェアが、表示スクリーン上のページ面をスライドするか、切り換えることを提供する。
【００３１】
注意すべきこととして、本願のペン型折り畳みマウス１００が第二の位置Ｐ２（即ち、マウス２０）にある状態下で、円滑に操作できるようにするために、２つのロッド本体１３０は、２つの外表面１３１に位置し、ローラーに隣接する２つの突出部１９０を含んでもよい。図１Ｂを参考にすると、各突出部１９０の頂部と軸線Ｌとの距離Ｒ１は、ローラー１１０の最も外側の半径Ｒ２（この実施形態では、リム１１２の最も外側と軸線Ｌとの間の半径）より大きい。このような配置は、第二の位置Ｐ２にあるペン型折り畳みマウス１００を平面に置く時、ローラー１１０のリム１１２は、ぶら下がって円滑に回転でき、リム１１２の回転時に、平面と互いに干渉しない。同様に、ロッド本体１３０の径方向サイズは、ローラー１１０の径方向サイズより大きくてもよく、同様に、ローラー１１０のリム１１２をぶら下げて円滑に回転させることができる。また、本実施形態において、外表面１３１は、円柱形のロッド本体１３０の表面であるが、ロッド本体１３０の形状は、円柱形に限定しない。その他の実施形態において、ロッド本体は、例えば、直方体、円錐等の柱体や錐体であってもよく、本願は、これについて限定しない。
【００３２】
上記作動原理によって、本願のペン型折り畳みマウス１００が第一の位置Ｐ１と第二の位置Ｐ２との間で切り換えて異なる効果を有することを説明する。第一の位置Ｐ１にある時、ペン型折り畳みマウス１００はペン型１０であり、使用者は携帯しやすい、または、例えば、レーザーポインタである。第二の位置Ｐ２にある時、ペン型折り畳みマウス１００は、マウス２０である。このような切り換えメカニズムは、使用者の使用上と携帯上の利便性を増大する。
【００３３】
以下、本願のペン型折り畳みマウス１００の第一の位置Ｐ１と第二の位置Ｐ２との切り換えプロセスの内部機構の作動を説明する。
【００３４】
図４Ａは、図１Ａのペン型折り畳みマウスのＡ−Ａ’線分に沿った局部断面図である。図４Ｂは、図１Ａのペン型折り畳みマウスのＢ−Ｂ’線分に沿った局部断面図である。明確な説明及び表示のために、以下、ローラー１１０の対向する両側のうち一方の側の支軸１２０とロッド本体１３０を説明する。
【００３５】
図１Ａ、図４Ａと図４Ｂを参考にする。本願の第一の実施形態のペン型折り畳みマウス１００の各ロッド本体１３０は、それぞれロッド本体１３０内部に位置するスライダー１３４、第一の位置決め部１３５及び第二の位置決め部１３６（図４Ａ）を有する。各支軸１２０（図３）は、それぞれシュート１２１と第一の係合部１２２を有する。
【００３６】
図４Ｂに示すように、スライダー１３４は、柱状構造であり、ロッド本体１３０の内表面１３０ａに設けられてもよい。スライダー１３４は、シュート１２１（図４Ａ）を貫通し、シュート１２１内でスライド及び回転するのに適する。第一の係合部１２２は、支軸１２０（図３）のローラー１１０から離れた端部１２０ａに設ける。ロッド本体１３０が第一の位置Ｐ１にある時、ロッド本体１３０内の第一の位置決め部１３５は、対応する支軸１２０の第一の係合部１２２に係合し、スライダー１３４は、シュート１２１内の第一端１２１ａに位置する。第一の係合部１２２は、例えば、突出したバンプであり、第一の位置決め部１３５は、例えば、凹溝であり、互いに係合できる。
【００３７】
第一の係合部１２２と第一の位置決め部１３５は、外形上の円弧形設計に対応していることから、両者は、使用者がローラー１１０の軸線Ｌに沿って加えた作用力によって互いに分離できる。図５Ａは、図２のペン型折り畳みマウスのＣ−Ｃ’線分に沿った局部断面図である。図５Ｂは、図２のペン型折り畳みマウスのＤ−Ｄ’線分に沿った局部断面図である。図２、図５Ａ及び図５Ｂを参考にすると、第一の係合部１２２と分離したロッド本体１３０は、スライダー１３４によってシュート１２１に沿ってスライドし、支軸１２０とローラー１１０がローラー１１０の軸線Ｌ（即ち、Ｙ方向）で分離するのに適する。この時、スライダー１３４は、シュート１２１の第二端１２１ｂに位置する。
【００３８】
図６Ａは、図３のペン型折り畳みマウスのＥ−Ｅ’線分に沿った局部断面図である。図６Ｂは、図３のペン型折り畳みマウスのＦ−Ｆ’線分に沿った局部断面図である。図３、図６Ａ及び図６Ｂを参考にする。それから、使用者は、ロッド本体１３０をローラー１１０に対して９０度回転してもよく、スライダー１３４は、シュート１２１の第二端１２１ｂで回転し、ロッド本体１３０内の第二の位置決め部１３６を支軸１２０の第一の係合部１２２に係合し、本願のペン型折り畳みマウス１００を第二の位置Ｐ２に固定して、１つのマウス２０の外観になる。第二の位置決め部１３６は、例えば、第一の位置決め部１３５と同じ材質で同じ構成で製造してもよく、ここでは繰り返し説明しない。
【００３９】
その他の実施形態において、第二の位置決め部と第一の位置決め部は、バンプであってもよく、第一の係合部は、可以是與バンプ形状に対応する凹溝であってもよく、第二の位置決め部と第一の位置決め部は互いに係合できる。または、第二の位置決め部と第一の位置決め部は、磁気吸引部であってもよく、第一の係合部は、被磁気吸引の材質であり、吸引されてもよい。または、第一の係合部は、磁気吸引部であってもよく、第二の位置決め部と第一の位置決め部は、被磁気吸引の材質であり、吸引されてもよい。または、第二の位置決め部、第一の位置決め部及び第一の係合部は、いずれも磁気吸引部であり、第一の位置と第二の位置とが互いに吸引されてもよい。
【００４０】
言及すべきこととして、図６Ａに示すように、本実施形態のローラー１１０のホイールフレーム１１１は、断面において、Ｈ字型であり、外観上、環状溝を有する。リム１１２の形状と環状溝の形状は互いに合い、ホイールフレーム１１１に対して回転するのに適する。ホイールフレーム１１１とリム１１２との間は、嵌め込むことができ、例えば、ボール（示していない）の補助スライド構造であってもよく、リム１１２のスライドを更に円滑にする。また、図６Ｂに示すように、本実施形態において、ホイールフレーム１１１内に収容空間１１１ａを有する。収容空間１１１ａ内に、検出アセンブリ１１３を収容し、リム１１２内側に設ける。また、ペン型折り畳みマウス１００がマウス２０の形態である時、検出アセンブリ１１３は、使用者のリム１１２をスクロールする側に近い。詳細には、検出アセンブリ１１３は、圧力センサと回転センサを含んでもよく、リム１１２が使用者の操作時に回転及び押されるのを検出するのに用いる。また、収容空間１１１ａは、ホイールフレーム１１１の対向する両側に延び、回路基板１７０とホイールフレーム１１１内の検出アセンブリ１１３の間で電気的に接続するケーブル（不図示）が通る空間を提供する。しかしながら、図面の整合性と説明のし易さのために、図４Ａ〜図６Ｂは、電気的接続構造を示していない。
【００４１】
図７は、本願の第二の実施形態のペン型折り畳みマウスのロッド本体が第一の位置にある時の局部断面図である。図８は、本願の第二の実施形態のペン型折り畳みマウスのロッド本体が軸線に沿ってローラーで分離している時の局部断面図である。図９Ａは、本願の第二の実施形態のペン型折り畳みマウスのロッド本体が第二の位置にある時の局部断面図である。図９Ｂは、図９Ａの別の視点から見た局部断面図である。図９Ｃは、図９Ａの本願の第二の実施形態のペン型折り畳みマウスが第二の位置にある時の上面図である。図７、図８及び図９Ａの視点は、それぞれ図４Ａ、図５Ａ及び図６Ａの視点と同じである。図９Ｂの視点は、図６Ｂの視点と同じである。
【００４２】
明確な説明及び表示のために、以下、図９Ｃのローラー２１０の対向する両側のうち一方の側の支軸２２０とロッド本体２３０を説明する。また、本実施形態は、支軸２２０とロッド本体２３０内部の構造が異なる以外、部材と外観は、第一の実施形態と同一または類似しており、ここでは繰り返し説明しない。
【００４３】
図７〜図９Ｃを参考にする。図７〜図９Ｃは、本願の第二の実施形態のペン型折り畳みマウス２００の第一の位置Ｐ１と第二の位置Ｐ２との切り換えプロセスの内部機構の作動を説明する。
【００４４】
本願の第二の実施形態のペン型折り畳みマウス２００の各ロッド本体２３０は、それぞれロッド本体２３０内部に位置する第一の位置決め部２３５とスライダー２３４を有する。各支軸２２０は、それぞれ第一の係合部２２２、第二の係合部２２３及びシュート２２１を有する。スライダー２３４は、柱状構造であり、ロッド本体２３０の内表面２３０ａに設けられてもよい。スライダー２３４は、シュート２２１を貫通し、シュート２２１内でスライド及び回転するのに適する。第一の係合部２２２は、支軸２２０の側面２２０ｂに凹んだ１つの凹溝であり、第二の係合部２２３は、支軸２２０のローラー２１０から離れた端部２２０ａに凹んだ１つの凹溝である。
【００４５】
ロッド本体２３０が第一の位置Ｐ１にある時、ロッド本体２３０内の第一の位置決め部２３５は、対応する支軸２２０の第一の係合部２２２に係合し、スライダー２３４は、シュート２２１内の第一端２２１ａに位置する。ロッド本体２３０内の第一の位置決め部２３５は、例えば、突出した金属バネであり、力を受けて変形する。
【００４６】
第一の係合部２２２と第一の位置決め部２３５は、対応する円弧形設計を有し、両者は、使用者が加えた作用力によって互いに分離できる。図８に示すように、第一の係合部２２２と分離したロッド本体２３０は、スライダー２３４によってシュート２１２に沿ってスライドし、支軸２２０とローラー２１０がローラー２１０の軸線Ｌ（即ち、Ｙ方向）で分離するのに適する。第一の位置決め部２３５は、支軸２２０の側面２２０ｂの当接により、押しつぶされて、側面２２０ｂに沿ってスライドし、スライダー２３４をシュート２２１の第二端２２１ｂまでスライドさせる。
【００４７】
それから、使用者は、ロッド本体２３０をローラー２１０に対して９０度回転してもよく、図９Ａに示すように、スライダー２３４は、シュート２２１の第二端２２１ｂで回転してもよい。この時、第一の位置決め部２３５は、第二の係合部２２３の凹溝形状に沿って飛び出て、ロッド本体２３０内の第一の位置決め部２３５を支軸２２０の第二の係合部２２３に係合させ、本実施形態のペン型折り畳みマウス２００を第二の位置Ｐ２に固定して、１つのマウス２０（図３に示すとおり）の外観になる。
【００４８】
また、本願の第二の実施形態のリム２１２は、ホイールフレーム２１１の円柱面を完全に覆い、ホイールフレーム２１１に対して回転するのに適する。ホイールフレーム２１１とリム２１２との間も同様にはめ込むことができ、例えば、ボール（示していない）の補助スライド構造であってもよく、リム２１２のスライドを更に円滑にする。これ以外に、ホイールフレーム２１１は、図９Ｂに示すように、第一の実施形態と同一または類似する収容空間２１１ａと検出アセンブリ２１３を有していてもよい。
【００４９】
言及すべきこととして、本実施形態において、検出アセンブリ２１３は、圧力センサＰＳだけでもよく、更に、２つのロッド本体２３０のうち１つに、外表面２３１に位置し、ローラー２１０に近い回転センサＭＳを設けてもよい。図９Ｃに示すように、２つのロッド本体２３０が第二の位置Ｐ２にある時、回転センサＭＳは、例えば、Ｙ方向でリム２１２と重なってリム２１２の回転動作を検出してもよい。同樣に、図面の整合性と説明のし易さのために、図７〜図９Ｂは、検出アセンブリ２１３と回路基板の電気的接続構造を示していない。
【００５０】
図１０は、本願の第三実施形態のスライダーの概略図である。図１１Ａは、本願の第三実施形態のペン型折り畳みマウスのロッド本体が第一の位置にある時の局部概略図である。図１１Ｂは、図１１ＡのＧ−Ｇ線分に沿った断面図である。まず、図１０を参考にする。
【００５１】
明確な説明及び表示のために、以下、ローラー３１０の対向する両側のうち一方の側の支軸３２０とロッド本体３３０を説明する。また、本実施形態は、支軸３２０とロッド本体３３０内部の構造が異なる以外、部材と外観は、第一の実施形態と同一または類似しており、ここでは繰り返し説明しない。
【００５２】
本願の第三実施形態のスライダー３３４は、円柱状構造であり、ロッド本体３３０の内表面３３０ａに突出している。スライダー３３４は、第一の位置決め部３３４ａと第二の位置決め部３３４ｂを有する。第一の位置決め部３３４ａは、内表面３３０ａに対して第一の高さＨ１に位置し、Ｘ方向に沿って延びる。第二の位置決め部３３４ｂは、内表面３３０ａに対して第二の高さＨ２に位置し、Ｙ方向に沿って延び、第一の高さＨ１は、第二の高さＨ２より大きく、第一の位置決め部３３４ａと第二の位置決め部３３４ｂをＺ方向でずらす。第一の位置決め部３３４ａと第二の位置決め部３３４ｂは、同じまたは相似するバネ構造であり、当接して変形するのに適する。
【００５３】
図１１Ａと図１１Ｂを参考にする。図１１Ａの視点は、図４Ａの視点と同じである。支軸３２０は、シュート３２１、第一の定位穴３２２（図１３Ａ）及び一第二の定位穴３２３を含む。第一の定位穴３２２と第二の定位穴３２３は、それぞれ支軸３２０の頂面３２０ｃに対してＺ方向に異なる深さを有し、組み立てにおいて、第一の位置決め部３３４ａの第一の高さＨ１は、第一の定位穴３２２に対応でき、第二の位置決め部３３４ｂの第二の高さＨ２は、第二の定位穴３２３に対応できる。第一の定位穴３２２は、シュート３２１の第一端３２１ａに近く、シュート３２１に連通する。第二の定位穴３２３は、シュート３２１の第二端３２１ｂに近く、シュート３２１に連通する（図１２Ａにより明確に示されている）。スライダー３３４は、シュート３２１内でスライド及び回転するのに適する。
【００５４】
２つのロッド本体３３０が第一の位置Ｐ１にある時、スライダー３３４は、シュート３２１の第一端３２１ａに位置し、突出した第一の位置決め部３３４ａは、その形状に対応する第一の定位穴３２２に係合する。
【００５５】
図１２Ａは、本願の第三実施形態のペン型折り畳みマウスのロッド本体が軸線方向にローラーで互いに分離している時の局部概略図である。図１２Ｂは、図１２ＡのＨ−Ｈ’線分に沿った断面図である。図１２Ａと図１２Ｂを参考にする。図１２Ａの視点は、図５Ａの視点と同じである。使用者が操作してスライダー３３４をシュート３２１の第一端３２１ａから第二端３２１ｂへ移動する時、第一の位置決め部３３４ａは、シュート３２１の内壁面のＸ方向の幅は、第一の定位穴３２２のＸ方向の幅に対して狭いことから、押し出されてスライダー３３４をシュート３２１内で第二端３２１ｂへスライドさせる。
【００５６】
図１３Ａは、本願の第三実施形態のペン型折り畳みマウスが第二の位置にある時の局部概略図である。図１３Ｂは、図１３ＡのＩ−Ｉ’線分に沿った断面図である。図１３Ａと図１３Ｂを参考にする。図１３Ａの視点は、図６Ａの視点と同じである。それから、使用者は、ロッド本体３３０をローラー３１０に対して９０度回転してもよく、図１３Ａと図１３Ｂに示すように、スライダー３３４は、シュート３２１の第二端３２１ｂで回転して、２つのロッド本体３３０を第二の位置Ｐ２に位置させてもよい。この時、第二の位置決め部３３４ｂは、第二の係合穴３２３の凹溝形状に嵌合し、本実施形態のペン型折り畳みマウス３００を第二の位置Ｐ２に固定する。
【００５７】
図１４は、本願の第四実施形態のペン型折り畳みマウスが第二の位置にある時の上面図である。図１４を参考にする。本実施形態において、ペン型折り畳みマウス４００の支軸４２０は、上記第一の〜第三実施形態に類似するシュートを有してもよいが、いかなる係合メカニズムも有さない。代わりに、２つのロッド本体４３０に、それぞれ第一の磁気吸引部ＦＭと第二の磁気吸引部ＳＭを設ける。各第一の磁気吸引部ＦＭと対応する第二の磁気吸引部ＳＭは、対応するロッド本体４３０の対向する２つの端部に位置する。２つのロッド本体４３０が、図１Ａの第一の位置Ｐ１にある時、２つのロッド本体４３０の２つの第一の磁気吸引部ＦＭは、ローラー４１０に近づき、互いに吸引されて図１Ａのペン型１０を維持する。２つのロッド本体４３０が第二の位置Ｐ２にある時、２つのロッド本体４３０の２つの第二の磁気吸引部ＳＭは、互いに吸引されて図３のマウス２０の形状を維持する。
【００５８】
以下に、ローラー内の検出アセンブリと回路基板との間の電気的接続について説明する。
【００５９】
図１５は、本願の第五実施形態のローラーと支軸の局部概略図である。明確な説明及び表示のために、以下、ローラー５１０の対向する両側のうち一方の側の支軸５２０を説明する。図１５を参考にする。本実施形態において、ソフトケーブル５０１は、支軸５２０に貼り付け、ソフトケーブル５０１の一端の第一のポート５０１ａは、ローラー５１０を貫通して、検出アセンブリ５１３と電気的に接続し、ソフトケーブル５０１の他端の第二のポート５０１ｂは、図１Ａのロッド本体１３０に達し、回路基板１７０に接続してもよい。
【００６０】
ソフトケーブル５０１がローラー５１０を貫通する第一のポート５０１ａは、第一の実施形態の収容空間１１１ａまたは第二の実施形態の収容空間２１１ａを貫通することに類似し、ローラー５１０、支軸５２０、及び検出アセンブリ５１３は、第一の実施形態〜第四実施形態の類似する対応する部材で置き換えてもよい。例を挙げると、検出アセンブリ５１３は、第二の実施形態の圧力センサ２１３ａであってもよい。ソフトケーブル５０１は、支軸２２０に貼り付け、一端は、収容空間２１１ａを貫通して、圧力センサ２１３ａと接続し、他端は、ロッド本体２３０内に位置する回路基板と接続する。
【００６１】
図１６は、本願の第六実施形態のローラー、支軸及びロッド本体の局部概略図である。明確な説明及び表示のために、以下、ローラーの対向する両側のうち一方の側の支軸とロッド本体を説明する。図１６を参考にする。ロッド本体６３０は、内部に位置し、電線によって回路基板６７０に電気的に接続する２つの金属片６０１を更に含む。２つの金属片６０１を有するロッド本体６３０が対応する支軸６２０は、検出アセンブリ６１３に電気的に接続する２本の導体６２１を含む。２本の導体６２１は、例えば、電線であり、ローラー６１０のケース６１１の収容空間６１１ａ内の検出アセンブリ６１３と電気的に接続する。２つの金属片６０１は、対応する２本の導体６２１に接触して、検出アセンブリ６１３を回路基板６７０に電気的に接続する。ローラー６１０のホイールフレーム６１１とその収容空間６１１ａ、リム６１２及び検出アセンブリ６１３は、第一の実施形態の態樣に類似または同じ様に設けてもよい。
【００６２】
以上をまとめると、本願のペン型折り畳みマウスの２つのロッド本体は、第一の位置と第二の位置との間で変形してペン型またはマウスになり、ペン型時にマウス時と異なる機能を具備することができる。様々な機能を統合して、使用者が様々な装置を同時に携帯しなければならない負担を低減する。同時に、使用者は、マウスを使用しない時、ペン型折り畳みマウスをペン型に変形させることができ、使用者は携帯しやすい。
【００６３】
本文は以上の実施例のように示したが、本発明を限定するためのものではなく、当業者が本発明の精神の範囲から逸脱しない範囲において、変更又は修正することが可能であるが故に、本発明の保護範囲は後続の特許請求の範囲に定義しているものを基準とする。
【産業上の利用可能性】
【００６４】
本願は、マウスとペン型の２種類の形態の間で変形可能なペン型折り畳みマウスを提供する。
【符号の説明】
【００６５】
１０：ペン型
２０：マウス
２１：左ボタン
２２：右ボタン
１００、２００、３００、４００：ペン型折り畳みマウス
１１０、２１０、３１０、４１０、５１０、６１０：ローラー
１１１、２１１、６１１：ホイールフレーム
１１１ａ、２１１ａ、６１１ａ：収容空間
１１２、２１２、６１２：リム
１１３、２１３、５１３、６１３：検出アセンブリ
１２０、２２０、３２０、４２０、５２０、６２０：支軸
１２０ａ：端部
１２１、２２１、３２１：シュート
１２１ａ、２２１ａ、３２１ａ：第一端
１２１ｂ、２２１ｂ、３２１ｂ：第二端
１２２、２２２：第一の係合部
１３０、２３０、３３０、４３０、６３０：ロッド本体
１３０ａ、２３０ａ、３３０ａ：内表面
１３１：外表面
１３２：第一端面
１３３：第二端面
１３４、２３４、３３４：スライダー
１３５、２３５、３３４ａ：第一の位置決め部
１３６、３３４ｂ：第二の位置決め部
１４０：ボタン
１５０：光学センサ
１６０：赤外線エミッタ
１７０、６７０：回路基板
１８０：電池
１８１：充電ポート
１９０：突出部
２２０ｂ：側面
２２３：第二の係合部
３２０ｃ：頂面
３２２：第一の定位穴
３２３：第二の定位穴
５０１：ソフトケーブル
５０１ａ：第一のポート
５０１ｂ：第二のポート
６０１：金属片
６２１：導体
Ｌ：軸線
Ｈ１：第一の高さ
Ｈ２：第二の高さ
Ｐ１：第一の位置
Ｐ２：第二の位置
ＰＳ：圧力センサ
ＭＳ：回転センサ
ＦＭ：第一の磁気吸引部
ＳＭ：第二の磁気吸引部
Ｘ、Ｙ、Ｚ：方向
Ａ−Ａ’、Ｂ−Ｂ’、Ｃ−Ｃ’、Ｄ−Ｄ’、Ｅ−Ｅ’、Ｆ−Ｆ’、Ｇ−Ｇ’、Ｈ−Ｈ’、Ｉ−Ｉ’：線分
【図１Ａ】
2020109615.tif 000003
【図１Ｂ】
2020109615.tif 000004
【図２】
2020109615.tif 000005
【図３】
2020109615.tif 000006
【図４Ａ】
2020109615.tif 000007
【図４Ｂ】
2020109615.tif 000008
【図５Ａ】
2020109615.tif 000009
【図５Ｂ】
2020109615.tif 000010
【図６Ａ】
2020109615.tif 000011
【図６Ｂ】
2020109615.tif 000012
【図７】
2020109615.tif 000013
【図８】
2020109615.tif 000014
【図９Ａ】
2020109615.tif 000015
【図９Ｂ】
2020109615.tif 000016
【図９Ｃ】
2020109615.tif 000017
【図１０】
2020109615.tif 000018
【図１１Ａ】
2020109615.tif 000019
【図１１Ｂ】
2020109615.tif 000020
【図１２Ａ】
2020109615.tif 000021
【図１２Ｂ】
2020109615.tif 000022
【図１３Ａ】
2020109615.tif 000023
【図１３Ｂ】
2020109615.tif 000024
【図１４】
2020109615.tif 000025
【図１５】
2020109615.tif 000026
【図１６】
2020109615.tif 000027